(57)【要約】【課題】温室効果ガスの正確な排出量を印刷媒体に印刷することにより、ＣＦＰの実現を十分に図り得る画像処理装置、画像形成装置及びプログラムを提供する。【解決手段】原画像及び印刷設定情報が含まれるジョブを入力するジョブ入力部２１１と、入力されたジョブに基づいて、原画像から印刷用画像を生成する画像生成部２１３と、入力されたジョブに基づいて、印刷用画像に温室効果ガス量を示すＣＦＰ表示画像を合成するか否か判断する印刷設定情報入力部２１２と、印刷設定情報入力部２１２により合成すると判断された場合、ＣＦＰ表示画像を印刷用画像に合成する画像合成部２１７と、ＣＦＰ表示画像が合成された印刷用画像を出力する画像出力部２１８と、を備えた画像処理装置２。【選択図】図２
2011227719.tif 000002
【特許請求の範囲】
【請求項１】
原画像及び印刷設定情報が含まれるジョブを入力するジョブ入力部と、
前記入力されたジョブに基づいて、原画像から印刷用画像を生成する画像生成部と、
前記入力されたジョブに基づいて、前記生成された印刷用画像に温室効果ガス量を示すＣＦＰ表示画像を合成するか否か判断する印刷設定情報入力部と、
前記印刷設定情報入力部により合成すると判断された場合、前記ＣＦＰ表示画像を前記印刷用画像に合成する画像合成部と、
前記ＣＦＰ表示画像が合成された印刷用画像を出力する画像出力部と、
を備えた画像処理装置。
【請求項２】
前記入力されたジョブに基づいて、印刷時に使用される使用消耗材の種類及び使用量を算出する使用消耗材量算出部と、
前記使用消耗材の種類ごとに、使用消耗材の使用量と該使用量を生産する過程で排出される温室効果ガス量とが対応付けられた第１のＬＵＴを記憶する排出ガス量ＤＢと、
前記算出された使用消耗材の種類、使用量及び前記第１のＬＵＴに基づいて、印刷時に排出される第１の温室効果ガス量を算出する排出ガス量算出部と、を備え、
前記画像合成部は、前記第１の温室効果ガス量を前記ＣＦＰ表示画像により前記印刷用画像に合成する請求項１に記載の画像処理装置。
【請求項３】
前記入力されたジョブに基づいて、印刷時に使用される使用電力量を算出する使用電力量算出部と、を備え、
前記排出ガス量ＤＢは、前記使用電力量と該使用電力量を使用することにより排出される温室効果ガス量とが対応付けられた第２のＬＵＴを記憶し、
前記排出ガス量算出部は、前記使用電力量及び前記第２のＬＵＴとに基づいて、印刷時に排出される第２の温室効果ガス量を算出し、
前記画像合成部は、前記第１又は前記第２の温室効果ガス量を前記ＣＦＰ表示画像により前記印刷用画像に合成する請求項２に記載の画像処理装置。
【請求項４】
前記排出ガス量算出部は、前記第１及び前記第２の温室効果ガス量を合算して第３の温室効果ガス量を算出し、
前記画像合成部は、前記第３の温室効果ガス量を前記ＣＦＰ表示画像により前記印刷用画像に合成する請求項３に記載の画像処理装置。
【請求項５】
前記排出ガス量算出部は、前記第３の温室効果ガス量を印刷部数又は面付け量で割って第４の温室効果ガス量を算出し、
前記画像合成部は、前記第４の温室効果ガス量を前記ＣＦＰ表示画像により前記印刷用画像に合成する請求項４に記載の画像処理装置。
【請求項６】
印刷時以外に排出される第５の温室効果ガス量を入力するための操作部を備え、
前記画像合成部は、前記第５の温室効果ガス量を前記ＣＦＰ表示画像により前記印刷用画像に合成する請求項１〜５の何れか一項に記載の画像処理装置。
【請求項７】
前記排出ガス量算出部は、前記第５の温室効果ガス量を前記第１〜第４の温室効果ガス量の何れかに加算して第６の温室効果ガス量を算出し、
前記画像合成部は、前記第６の温室効果ガス量を前記ＣＦＰ表示画像により前記印刷用画像に合成する請求項６に記載の画像処理装置。
【請求項８】
前記第５の温室効果ガス量は、原材料の調達時、調達された原材料による商品の加工又は生産時、加工又は生産された商品の販売時、販売された商品の使用時、使用された商品の廃棄時に排出される温室効果ガス量の何れか又は全てを含む請求項６又は７に記載の画像処理装置。
【請求項９】
前記ＣＦＰ表示画像は、文字画像である請求項１〜８の何れか一項に記載の画像処理装置。
【請求項１０】
前記ＣＦＰ表示は、文字画像と予め定められた台紙画像とが合成されたラベル画像である請求項１〜８の何れか一項に記載の画像処理装置。
【請求項１１】
請求項１〜１０の何れか一項に記載の画像処理装置を備えた画像形成装置。
【請求項１２】
コンピュータに、
ジョブ入力部により、原画像及び印刷設定情報が含まれるジョブを入力する機能と、
画像生成部により、前記入力されたジョブに基づいて、原画像から印刷用画像を生成する機能と、
印刷設定情報入力部により、前記入力されたジョブに基づいて、前記生成された印刷用画像に温室効果ガス量を示すＣＦＰ表示画像を合成するか否か判断する機能と、
画像合成部により、前記印刷設定情報入力部により合成すると判断された場合、前記印刷用画像に前記ＣＦＰ表示画像を合成する機能と、
画像出力部により、前記ＣＦＰ表示画像が合成された印刷用画像を出力する機能と、
を実現させるためのプログラム。
【発明の詳細な説明】
【技術分野】
【０００１】
本発明は、画像処理装置、画像形成装置及びプログラムに関する。
【背景技術】
【０００２】
近年、ＣＦＰ（Carbon Footprint of Products）に関する取り組みが世界的に行われている。「ＣＦＰ」とは、商品のライフサイクルの各過程で排出される温室効果ガス量を合算して得られた全体の量をＣＯ2量に換算して表示することをいう。また、ＩＳＯ（International Organization for Standardization）により、ＣＦＰについての制度を標準化しようとする動きがある。現在では、ＣＦＰの表示（例えば、ＣＯ2の排出量を表示した文字やラベル。以下、「ＣＦＰ表示画像」という）のデザインや印刷位置等は、国や製品ごとに異なる。
【０００３】
従来、ＣＯ2の排出量表示を行う技術として特許文献１に記載の画像処理装置がある。
特許文献１には、ジョブの印刷設定情報（例えば、両面印刷、縮小、紙種、紙サイズ等）とこれに対応する環境負荷値情報（例えば、ＣＯ2の排出量）とに基づいて、ジョブを実行する前に、印刷処理を行うことにより排出されるＣＯ2量を算出し、算出したＣＯ2量を画面表示することでユーザの環境保護意識を喚起する画像処理装置が開示されている。
【先行技術文献】
【特許文献】
【０００４】
【特許文献１】特開２００３−１５０６９５号公報
【発明の概要】
【発明が解決しようとする課題】
【０００５】
しかし、特許文献１に記載の画像処理装置では、ＣＯ2の排出量を画面表示して可視化するだけであり、最終成果物（例えば、印刷物や商品の包装用容器等）には可視化されないためＣＦＰの実現には不十分である。
【０００６】
画面表示したＣＯ2の排出量を印刷用画像とともに印刷すればＣＦＰの実現を図り得るが、ＣＯ2の排出量を印刷用画像とともに印刷するにはＣＦＰ表示画像のデザイン段階でＣＯ2の排出量を予め確定しておく必要があり、印刷時に排出される正確なＣＯ2量を印刷することはできない。例えばＣＦＰ表示画像のデザイン段階でＣＯ2の排出量が確定された後、ジョブの印刷設定情報が両面印刷から片面印刷に変更された場合には、ＣＦＰ表示画像により示されるＣＯ2の排出量は正確な数値とはいえない。
【０００７】
また、特許文献１に記載の画像処理装置では、最終成果物が印刷媒体以外の物の場合、印刷媒体以外の物について排出されたＣＯ2量を例えばパッケージ等の包装紙に印刷することはできない。
以上より、従来の技術ではＣＦＰの実現を十分に図ることができない。
【０００８】
本発明の課題は、温室効果ガスの正確な排出量を印刷媒体に印刷してＣＦＰの実現を十分に図り得る画像処理装置、画像形成装置及びプログラムを提供することである。
【課題を解決するための手段】
【０００９】
本発明によれば、原画像及び印刷設定情報が含まれるジョブを入力するジョブ入力部と、
前記入力されたジョブに基づいて、原画像から印刷用画像を生成する画像生成部と、
前記入力されたジョブに基づいて、前記生成された印刷用画像に温室効果ガス量を示すＣＦＰ表示画像を合成するか否か判断する印刷設定情報入力部と、
前記印刷設定情報入力部により合成すると判断された場合、前記ＣＦＰ表示画像を前記印刷用画像に合成する画像合成部と、
前記ＣＦＰ表示画像が合成された印刷用画像を出力する画像出力部と、
を備えた画像処理装置が提供される。
【００１０】
また、本発明による画像処理装置を備えた画像形成装置が提供される。
【００１１】
また、本発明によれば、コンピュータに、
ジョブ入力部により、原画像及び印刷設定情報が含まれるジョブを入力する機能と、
画像生成部により、前記入力されたジョブに基づいて、原画像から印刷用画像を生成する機能と、
印刷設定情報入力部により、前記入力されたジョブに基づいて、前記生成された印刷用画像に温室効果ガス量を示すＣＦＰ表示画像を合成するか否か判断する機能と、
画像合成部により、前記印刷設定情報入力部により合成すると判断された場合、前記印刷用画像に前記ＣＦＰ表示画像を合成する機能と、
画像出力部により、前記ＣＦＰ表示画像が合成された印刷用画像を出力する機能と、
を実現させるためのプログラムが提供される
【発明の効果】
【００１２】
本発明によれば、温室効果ガスの正確な排出量を印刷媒体に印刷することができ、ＣＦＰの実現を十分に図ることができる。
【図面の簡単な説明】
【００１３】
【図１】システム構成を示す図である。
【図２】画像処理装置の機能ブロック図である。
【図３】第１のＣＦＰ表示処理を示すフロー図である。
【図４】印刷用画像生成処理を示すフロー図である。
【図５】温室効果ガス量を算出するフロー図である。
【図６】温室効果ガス量が文字画像として印刷されたオフィス文書を示す図である。
【図７】第２のＣＦＰ表示処理を示すフロー図である。
【図８】画像処理装置の機能ブロック図である。
【図９】第３のＣＦＰ表示処理を示すフロー図である。
【図１０】台紙画像を入力するときの設定画面を示す図である。
【図１１】台紙画像の合成位置を入力するときの設定画面を示す図である。
【図１２】ラベル画像が印刷されたダイレクトメールを示す図である。
【図１３】ラベル画像が印刷された包装紙を示す図である。
【発明を実施するための形態】
【００１４】
本実施形態における画像形成装置の構成及び動作について、図面を用いて詳細に説明する。なお、本実施形態は一例であり、本発明はこれに限定されるものではない。
【００１５】
〔第１の実施形態〕
第１の実施形態では、ＣＦＰ（Carbon Footprint of Products）を文字画像により実現する場合について説明する。
なお、「ＣＦＰ」とは、商品のライフサイクルの各過程で排出される温室効果ガス量を合算して得られた全体の量をＣＯ2量に換算して表示することをいう。
【００１６】
図１に、システム構成図を示す。
本実施形態におけるシステム１００は、プリンタ１、画像処理装置２、排出ガス量データベース３（以下、データベースは「ＤＢ」と記載する）、印刷指示端末４等を備えて構成され、各装置（１〜４）はＬＡＮにより互いに通信可能に接続される。なお、ＬＡＮに限らず、例えばプリンタ１及び画像処理装置２はＰＣＩバスにより接続されるとしてもよい。また、プリンタ１及び画像処理装置２が同一筐体に設置されて一体化されたものを画像形成装置とよぶ。
以下、実際の印刷処理の流れに沿って各装置（１〜４）について説明する。
【００１７】
印刷指示端末４は、プリンタドライバや専用のソフトウェアがインストールされたＰＣ等の情報端末である。印刷指示端末４は、プリンタドライバ等を用いてジョブを生成し、生成したジョブを印刷指示とともに画像処理装置２に出力する。
【００１８】
画像処理装置２は、印刷指示端末４から出力されたジョブを入力し、ジョブに含まれる原画像に対してページ記述言語解析、色変換処理、ラスタライズ、スクリーニング等の画像処理を行う情報処理装置である。画像処理装置２は印刷用画像を生成し、これをプリンタ１に出力する。
【００１９】
ここで、「ジョブ」とは、原画像及び印刷設定情報を含むデータをいう。
また、「原画像」とは、画像処理前の画像であって、ＣＦＰ表示画像が合成されていない画像をいう。
また、「印刷設定情報」とは、例えば両面印刷、縮小／拡大印刷、紙種、紙サイズ、印刷部数、面付け量、後処理、モノクロ／カラー等の情報であって、印刷条件に関する情報をいう。
【００２０】
排出ガス量ＤＢ３は、消耗材の種類ごとに、消耗材量と温室効果ガス量とが対応付けられた第１のＬＵＴ（Look Up Table）、及び、使用電力量と温室効果ガス量とが対応付けられた第２のＬＵＴを記憶する記憶媒体である。
【００２１】
ここで、「消耗材」とは、例えば紙、トナー、ステープル、針等であって、印刷処理によって消耗される物をいう。
また、「温室効果ガス」とは、本実施形態ではＣＯ2をいう。
【００２２】
第１のＬＵＴには、例えばＡ４の用紙１枚とＡ４の用紙１枚が製造されるまでに排出されるＣＯ2量とが予め対応付けられて登録されている。
第２のＬＵＴには、例えば１０００ｋｗｈの使用電力量と１０００ｋｗｈの電力量が使用されたときに排出されるＣＯ2量とが予め対応付けられて登録されている。
排出ガス量ＤＢ３は、画像処理装置２に内蔵されるとしてもよく、後述の図２では排出ガス量ＤＢ３は画像処理装置２に内蔵された場合について示している。
【００２３】
プリンタ１は、画像処理装置２から出力された印刷用画像を印刷処理する印刷機器である。
【００２４】
ここで、「印刷用画像」とは、画像処理済みの画像であって、印刷媒体に印刷される画像をいう。また、後述するが、印刷用画像にはＣＦＰの表示（例えば、ＣＯ2の排出量を表示した文字やラベル。以下、「ＣＦＰ表示画像」という）が合成される。
【００２５】
図２に、画像処理装置２の機能ブロック図を示す。
画像処理装置２は、制御部２１、操作部２２０、表示部２２１等を備えて構成される。
【００２６】
制御部２１はＣＰＵ、ＲＡＭ、ＲＯＭ等を備えて構成され（図示省略）、ＣＰＵは、ＲＯＭに記憶されている各種プログラムをＲＡＭに展開し、ＲＡＭに展開した各種プログラムとの協働により画像処理装置２の動作を統括的に制御する。
【００２７】
図２に示すように、制御部２１は機能的構成として、ジョブ入力部２１１、印刷設定情報入力部２１２、画像生成部２１３、使用消耗材量算出部２１４、使用電力量算出部２１５、排出ガス量ＤＢ３、排出ガス量算出部２１６、画像合成部２１７、画像出力部２１８、Ｉ／Ｆ部２１９を備える。
【００２８】
ジョブ入力部２１１は、Ｉ／Ｆ部２１９を介して、印刷指示端末４から出力されたジョブを入力し、入力したジョブから原画像を抽出する。ジョブ入力部２１１は、抽出した原画像を画像生成部２１３に出力する。
【００２９】
印刷設定情報入力部２１２は、Ｉ／Ｆ部２１９を介して、印刷指示端末４から出力されたジョブを入力し、入力したジョブから印刷設定情報を抽出する。また、印刷設定情報入力部２１２は、抽出した印刷設定情報に基づいて、ＣＦＰ表示画像を印刷用画像に合成するか否か判断する。印刷設定情報入力部２１２は、抽出した印刷設定情報及びＣＦＰ表示画像の合成の有無に関する情報を画像生成部２１３に出力する。
【００３０】
画像生成部２１３は、原画像及び印刷設定情報に基づいて、原画像に対してページ記述言語解析、色変換、ラスタライズ、スクリーニング処理等の画像処理を行い、印刷用画像を生成する。また、画像生成部２１３は、ＣＦＰ表示画像を印刷用画像に合成する場合、生成した印刷用画像及び印刷設定情報を使用消耗材量算出部２１４及び使用電力量算出部２１５に出力する。ＣＦＰ表示画像を印刷用画像に合成しない場合、生成した印刷用画像及び印刷設定情報を画像出力部２１８に出力する。
【００３１】
使用消耗材量算出部２１４は、印刷用画像及び印刷設定情報に基づいて、使用消耗材の種類及び使用量を算出する。「使用消耗材」とは、例えば紙、トナー、ステープル針等であって、印刷処理によって使用される消耗材をいう。なお、トナーに限らず顔料インクや水性インク等も含まれる。使用消耗材量算出部２１４は、算出した使用消耗材の種類及び使用量の情報を排出ガス量算出部２１６に出力する。
【００３２】
使用電力量算出部２１５は、印刷用画像及び印刷設定情報に基づいて、使用電力量を算出する。「使用電力量」とは、印刷処理により使用される電力量をいい、より具体的にはプリンタ１が印刷処理したときに使用する電力量をいう。使用電力量算出部２１５は、算出した使用電力量の情報を排出ガス量算出部２１６に出力する。
【００３３】
排出ガス量ＤＢ３は、消耗材の種類ごとに、消耗材量と温室効果ガス量とが対応付けられた第１のＬＵＴ、及び、使用電力量と温室効果ガス量とが対応付けられた第２のＬＵＴを記憶する記憶装置である。
【００３４】
排出ガス量算出部２１６は、使用消耗材量算出部２１４により算出された消耗材の種類及び使用量と第１のＬＵＴとに基づいて、消耗材に関する温室効果ガス量（以下、これを「第１の温室効果ガス量」と記載する）を算出する。
【００３５】
また、排出ガス量算出部２１６は、使用電力量算出部２１５により算出された使用電力量と第２のＬＵＴとに基づいて、使用電力量に関する温室効果ガス量（以下、これを「第２の温室効果ガス量」と記載する）を算出する。
【００３６】
また、排出ガス量算出部２１６は、第１及び第２の温室効果ガス量を合算する（以下、これを「第３の温室効果ガス量」と記載する。下記式１参照）。合算して算出された第３の温室効果ガス量は、印刷処理が行われることで排出されるトータルの温室効果ガス量を示す。
【００３７】
また、排出ガス量算出部２１６は、第３の温室効果ガス量を部数又は面付け量で割った量（これを「第４の温室効果ガス量」と記載する。下記式２参照）を画像合成部２１７に出力する。
【００３８】
画像合成部２１７は、排出ガス量算出部２１６により算出された第３の温室効果ガス量の情報を文字情報に変換し、これを印刷用画像に合成する。画像合成部２１７は、合成した印刷用画像を画像出力部２１８に出力する。
【００３９】
画像出力部２１８は、Ｉ／Ｆ部２１９を介して、合成された印刷用画像をプリンタ１に出力する。なお、出力先はプリンタ１に限らず、外部記録媒体Ｍ１であってもよい。
【００４０】
Ｉ／Ｆ部２１９は、各種の情報を入出力するためのインターフェイスである。
操作部２２０は、数字又は文字キーや機能キー等を備えて構成され、ユーザにより各種キーが操作された場合、操作されたキーに対応する操作信号を生成し、制御部２１に出力する。なお、操作部２２０は、タッチパネルにして表示部２２１の背面に設けるとしてもよい。
表示部２２１は、ＬＣＤ（Liquid Crystal Display）及びバックライト等を備えて構成され、静止画又は動画を表示する。
【００４１】
図３を参照して、第１のＣＦＰ表示処理について説明する。
第１のＣＦＰ表示処理によれば、印刷時に排出される温室効果ガス量を文字により印刷媒体に印刷することができる。
なお、図３及び図３以降のフローに示す処理は、制御部２１により行われるものとし、各ステップの処理は制御部２１の各機能（図２参照）によって実現される。
【００４２】
制御部２１は、印刷指示端末４により出力されたジョブを入力する（ステップＳ１）。
制御部２１は、入力したジョブから原画像及び印刷設定情報を抽出する（ステップＳ２）。制御部２１は、原画像から印刷用画像を生成する（ステップＳ３）。
【００４３】
図４を参照して、印刷用画像を生成する処理について説明する。
制御部２１は、原画像のページ記述言語を解析する（ステップＳ３１ａ）。
【００４４】
制御部２１は、解析した画像に対して、色変換処理を行う（ステップＳ３２ａ）。
色変換処理により、色材であるトナーのＣＭＹＫ又は基準となるＣＭＹＫに色変換が行われる。なお、ＩＣＣ（International Color Consortium）プロファイルを用いて色変換する場合、印刷設定情報にはＩＣＣプロファイルが含まれる。
【００４５】
制御部２１は、色変換処理した画像に対して、ラスタライズを行う（ステップＳ３３ａ）。ラスタライズにより、印刷するプリンタ１の解像度に合わせてビットマップ形式の画像が生成される。
【００４６】
制御部２１は、ラスタライズした画像に対して、スクリーニングを行う（ステップＳ３４ａ）。スクリーニングにより、網点化された印刷用画像が生成される。なお、印刷用画像の生成方法として誤差拡散などの手段を採用してもよい。
【００４７】
図３に戻り、制御部２１は、ＣＦＰを実行するか否か判断する（ステップＳ４）。
例えば制御部２１は、ジョブの印刷設定情報に含まれるＣＦＰを実行する／しないの情報に基づいて、ＣＦＰを実行するか否か判断する。また、制御部２１は、操作部２２０からの操作信号に基づいて、ＣＦＰを実行すると判断してもよい。
【００４８】
ＣＦＰを実行しない場合（ステップＳ４；Ｎ）、制御部２１は、本処理を終了する。
ＣＦＰを実行する場合（ステップＳ４；Ｙ）、制御部２１は、印刷処理を行うことにより使用される使用消耗材量を算出する（ステップＳ５）。
また、制御部２１は、印刷処理を行うことにより使用される使用電力量を算出する（ステップＳ６）。
【００４９】
制御部２１は、算出した使用消耗材量及び使用電力量に基づいて、第１及び第２の温室効果ガス量を算出し、これを合算して第３の温室効果ガス量を算出する（ステップＳ７）。
【００５０】
図５を参照して、温室効果ガス量を算出する処理について説明する。
制御部２１は、第１の温室効果ガス量Ｃ１を算出する（ステップＳ７１ａ）。
例えば制御部２１は、排出ガス量ＤＢ３に記憶されている第１のＬＵＴにより使用消耗材量と温室効果ガス量との対応関係を参照し、ステップＳ５で算出した使用消耗材量に基づいて、使用消耗材量に関する第１の温室効果ガス量Ｃ１を算出する。なお、第１のＬＵＴを参照しなくとも、予め定められたモデル式に使用消耗材量を代入することで第１の温室効果ガス量Ｃ１を算出してもよい。
【００５１】
制御部２１は、第２の温室効果ガス量Ｃ２を算出する（ステップＳ７１ｂ）。
例えば制御部２１は、排出ガス量ＤＢ３に記憶されている第２のＬＵＴにより使用電力量と温室効果ガス量との対応関係を参照し、ステップＳ６で算出した使用電力量に基づいて、使用電力量に関する第２の温室効果ガス量Ｃ２を算出する。なお、第２のＬＵＴを参照しなくとも、予め定められたモデル式に使用電力量を代入することで第２の温室効果ガス量Ｃ２を算出してもよい。
【００５２】
制御部２１は、ジョブの印刷設定情報から印刷部数Ｘの情報を取得する（ステップＳ７３ａ）。印刷部数Ｘは、例えば１０００枚からなる１つの冊子が最終成果物として作成される場合、Ｘ＝１である。また、１枚のダイレクトメールが最終成果物として作成され、これが１０００枚印刷される場合、Ｘ＝１０００である。
ここで、「最終成果物」とは、ここでは、一般需要者が手にするとき又は目にするときの物をいう。通常の印刷であれば印刷物自体が最終成果物であり、パッケージ印刷であればパッケージされた商品が最終成果物である。
【００５３】
制御部２１は、ジョブの印刷設定情報から面付け量の情報があるか否か判断する（ステップＳ７４ａ）。
ここで、「面付け量」とは、１ページ当たりに印刷用画像が印刷される数をいう。例えば１ページ当たりに印刷用画像が２つ印刷される場合（２in１の場合）、面付け量＝２である。
【００５４】
面付け量の情報がない場合（ステップＳ７４ａ；Ｎ）、制御部２１は、面付け量Ｙ＝１にしてステップＳ７６ａに移行する。
【００５５】
面付け量の情報がある場合（ステップＳ７４ａ；Ｙ）、制御部２１は、ジョブの印刷設定情報から面付け量Ｙを取得する（ステップＳ７５ａ）。
【００５６】
制御部２１は、下記式（１）により第３の温室効果ガス量Ｃ３を算出し、下記式（２）により第４の温室効果ガス量Ｃ４を算出して（ステップＳ７６ａ）、温室効果ガス量算出処理を終了する。
Ｃ３＝（Ｃ１＋Ｃ２）・・・・（１）
Ｃ４＝Ｃ３／（Ｙ×Ｘ）・・・（２）
【００５７】
式（１）によれば、印刷処理を行うことにより使用される使用消耗材量に関する第１の温室効果ガス量Ｃ１と、印刷処理を行うことにより使用される使用電力量に関する第２の温室効果ガス量Ｃ２とが合算されて第３の温室効果ガス量が算出される。更に、式（２）により、第３の温室効果ガス量が印刷部数Ｘ又は面付け量Ｙで割られ、１部当たり又は１ページ当たりの第４の温室効果ガス量Ｃ４が算出される。
【００５８】
なお、本実施形態では、第４の温室効果ガス量Ｃ４は、Ｃ１、Ｃ２、Ｃ３、Ｘ及びＹにより算出されるとしたがこれに限らず、例えば試し印刷をした際に排出される温室効果ガス量や、キャリブレーション用のカラーパッチを印刷した際に排出される温室効果ガス量等を第４の温室効果ガス量Ｃ４に加味するとしてもよい。
【００５９】
図３に戻り、制御部２１は、第４の温室効果ガス量を示す文字画像を生成し、生成した文字画像を印刷用画像に合成する（ステップＳ８）。
印刷用画像の領域外のスタンプマーク位置に合成され印刷されるため、ラスタライズは不要であり合成処理は簡便である。
【００６０】
制御部２１は、文字画像が合成された印刷用画像をプリンタ１に出力して（ステップＳ９）、本処理を終了する。
【００６１】
図６に、温室効果ガス量を示す文字画像が印刷されたオフィス文書を示す。
通常、オフィス文書であれば文書自体が最終成果物である。温室効果ガス量は用紙右上のスタンプマーク位置に印刷される。図６に示すように、最終成果物に温室効果ガス量が印刷されるためＣＦＰの実現を図ることができる。
【００６２】
図７を参照して、第２のＣＦＰ表示処理について説明する。
第２のＣＦＰ表示処理によれば、印刷時以外に排出される温室効果ガス量を印刷時に排出される温室効果ガス量に含め、これを文字画像により印刷媒体に印刷することができる。
【００６３】
ここで、「印刷時以外に排出される温室効果ガス量」とは、例えば最終成果物がカレーのルーである場合のルーの調達、加工又は生産、販売、廃棄等、印刷媒体以外によって排出される温室効果ガス量をいう。以下、印刷時以外に排出される温室効果ガス量を「第５の温室効果ガス量」と記載して説明する。
【００６４】
ステップＳ１１〜Ｓ１７の処理は、図３のステップＳ１〜Ｓ７と同様の処理であるためここでの説明は省略する。
【００６５】
制御部２１は、第５の温室効果ガス量を加算するか否か判断する（ステップＳ１８）。
例えば制御部２１は、操作部２２０からの操作信号に基づいて、印刷時以外に排出される温室効果ガス量を加算するか否か判断する。
【００６６】
加算しない場合（ステップＳ１８；Ｎ）、制御部２１は、ステップＳ２０に移行する。
【００６７】
加算する場合（ステップＳ１８；Ｙ）、制御部２１は、ステップＳ１７で算出した第４の温室効果ガス量に第５の温室効果ガス量を加算して、温室効果ガス量を更新する（ステップＳ１９）。以下、更新した温室効果ガス量を「第６の温室効果ガス量」と記載して説明する。
上述したカレーのルーの例であれば、パッケージ印刷時に排出される第４の温室効果ガス量とルーの調達時−加工又は生産時−販売時−廃棄時等に排出される第５の温室効果ガス量とが加算される。
【００６８】
制御部２１は、更新した第５の温室効果ガス量を示す文字画像を印刷用画像に合成し（ステップＳ２０）、合成した印刷用画像をプリンタ１に出力して（ステップＳ２１）、第２のＣＦＰ表示処理を終了する。
【００６９】
以上のように、第１の実施形態によれば、印刷用画像を生成した後に温室効果ガス量を算出し、プリンタ１に印刷用画像を出力する直前に、算出した温室効果ガス量を印刷用画像に合成することができる。リアルタイムで温室効果ガス量を算出することができ、正確な温室効果ガス量を印刷媒体に印刷することができる。よって、ＣＦＰの実現を十分に図ることができる。
【００７０】
また、印刷時に排出される温室効果ガス量として、使用消耗材量に関する第１の温室効果ガス量を算出することができる。
【００７１】
また、印刷時に排出される温室効果ガス量として、使用電力量に関する第２の温室効果ガス量を算出することができる。
【００７２】
また、印刷時に排出されるトータルの温室効果ガス量として、第１及び第２の温室効果ガス量を合算して第３の温室効果ガス量を算出することができる。
【００７３】
また、第３の温室効果ガス量を部数Ｘ又は面付け量Ｙで割り、一部当たり又は用紙一枚当たりに排出される第４の温室効果ガス量を算出することができる。
【００７４】
また、印刷時に排出される第４の温室効果ガス量と印刷時以外に排出される第５の温室効果ガス量とを合算して第６の温室効果ガス量を算出し、第６の温室効果ガス量を印刷用画像に合成することができる。
【００７５】
また、第６の温室効果ガス量として、原材料の調達時、調達した原材料による商品の加工又は生産時、加工又は生産した商品の販売時、販売した商品の使用時、使用した商品の廃棄時等の各過程によって排出される温室効果ガス量を含ませることができる。
【００７６】
また、温室効果ガス量を示す文字画像をスタンプ位置に印刷することができ、合成処理を簡便にすることができる。
【００７７】
〔第２の実施形態〕
第２の実施形態では、ＣＦＰをラベル画像により実現する場合について説明する。
また、第２の実施形態では、第１の実施形態における画像処理装置２に代えて画像処理装置２ａ（図８参照）を適用した場合について説明する。その他の構成は第１の実施形態と同様である。
【００７８】
図８に、画像処理装置２ａの機能ブロック図を示す。
画像処理装置２ａは、制御部２１ａ、操作部２２０、表示部２２１等を備えて構成される。制御部２１ａは、画像処理装置２と同様の機能的構成（２１１〜２２１）を備える他、台紙画像入力部２１１ａ、台紙画像表示部２１２ａ、台紙画像合成位置入力部２１３ａ、ラベル画像生成部２１４ａを備えて構成される。
【００７９】
台紙画像入力部２１１ａは、ＣＦＰ表示画像用の台紙画像を入力する。台紙画像は、予め定められたデザインが施された画像であり、画像内には温室効果ガス量を表示するための表示領域が設けられている。なお、台紙画像は、国によっては統一マークが定められている場合がある。台紙画像は、図示しないＲＯＭや記憶部に予め記憶されるとしてもよいし、外部端末から出力された台紙画像が入力されるとしてもしてもよい。また、台紙画像入力部２１１ａは、台紙画像とともに、台紙画像内で印刷される文字の種類や色を指定する情報を入力するとしてもよい。
【００８０】
台紙画像表示部２１２ａは、入力した台紙画像をプレビューとして表示部２２１に表示する。また、台紙画像表示部２１２ａは、入力した台紙画像と印刷用画像とを合わせて表示部２２１に表示する。
【００８１】
台紙画像合成位置入力部２１３ａは、台紙画像及び印刷用画像が表示されたプレビューにおいて、印刷用画像における台紙画像の位置が操作部２２０により指定された場合、これを合成位置として入力する。
【００８２】
ラベル画像生成部２１４ａは、台紙画像に温室効果ガス量の情報を合成してラベル画像を生成し、これを画像合成部２１７に出力する。
【００８３】
図９を参照して、第３のＣＦＰ表示処理について説明する。
第３のＣＦＰ表示処理によれば、印刷時又は印刷時以外に排出される温室効果ガス量をラベル画像により印刷媒体に印刷することができる。
【００８４】
ステップＳ３１〜Ｓ３７の処理は、図７のステップＳ１１〜Ｓ１７と同様の処理であるためここでの説明は省略する。
【００８５】
ステップＳ３８、Ｓ３９の処理は、図７のステップＳ１８、Ｓ１９と同様の処理であるためここでの詳細な説明は省略する。
【００８６】
制御部２１は、ＣＦＰ表示画像用の台紙画像を入力する（ステップＳ４０）。
【００８７】
図１０に、台紙画像を入力するときの設定画面Ｇ１を示す。
設定画面Ｇ１は、ボタンＢ１、プレビューＰ１、数値領域Ｐ１１、詳細設定領域Ａ１により構成される。
【００８８】
ボタンＢ１は、台紙画像を読み込むために押下されるボタンである。
プレビューＰ１は、ボタンＢ１が押下されて読み込まれた台紙画像を表示する領域である。
数値領域Ｐ１１は、プレビューＰ１内に配置され、温室効果ガス量を表示する領域である。
詳細設定領域Ａ１は、数値領域Ｐ１１に表示される文字のフォント、色、単位、上乗せ量、数字位置、及び台紙画像のサイズ等の詳細設定を入力する領域である。「上乗せ量」とは、ユーザによって任意に入力可能な温室効果ガス量である。本実施形態では、第３の温室効果ガス量に第４の温室効果ガス量が上乗せ量として加算されるが（ステップＳ３９参照）、更に任意に上乗せ量が加算されるとしてもよい。
図示したＯＫボタンが押下されると、設定画面Ｇ１で設定された内容でＣＦＰ用の台紙画像が入力される。
【００８９】
図９に戻り、制御部２１は、印刷用画像における台紙画像の合成位置を入力する（ステップＳ４１）。
【００９０】
図１１に、台紙画像の合成位置を入力するときの設定画面Ｇ２を示す。
設定画面Ｇ２は、ラジオボタンＲ１、ボタンＢ２〜Ｂ４、プレビューＰ２により構成される。
【００９１】
ラジオボタンＲ１は、ＣＦＰ表示画像をスタンプマーク又は画像合成の何れかに選択するときに押下されるボタンである。「スタンプマーク」が押下されると、ＣＦＰ表示は文字画像により行われる（図６参照）。「画像合成」が押下されると、ＣＦＰ表示はラベル画像により行われる（図１０参照）。
【００９２】
ボタンＢ２は、ＣＦＰ表示がラベル画像により行われる場合に、台紙画像及び印刷用画像を読み込むために押下されるボタンである。
ボタンＢ３は、ＣＦＰ表示が文字画像により行われる場合に、スタンプマークを付す位置や、上乗せ量の数値や単位、文字フォント設定を行う設定画面を表示するために押下されるボタンである。この設定画面としては、図１０の設定画面Ｇ１から画像テンプレートの読み込みを行うボタンＢ１を省き、スタンプマーク画像を付加する位置を指定する入力部が追加されたインターフェイスを有したものが例示できる。
ボタンＢ４は、ＣＦＰ表示画像の追加又は削除するために押下されるボタンである。「追加」ボタンが押下されると、ＣＦＰ表示画像が追加される。「削除」ボタンが押下されると、ＣＦＰ表示画像が削除される。ボタンＢ４により、ＣＦＰ表示画像を任意の数だけ印刷することができる。
【００９３】
プレビューＰ２は、ラジオボタンＲ１、ボタンＢ２〜Ｂ４が押下されて読み込まれた台紙画像（又は文字画像）及び印刷用画像を表示する領域である。
【００９４】
図９に戻り、制御部２１は、温室効果ガス量の情報を台紙画像に合成してラベル画像を生成する（ステップＳ４２）。
制御部２１は、生成したラベル画像を印刷用画像に合成する（ステップＳ４３）。
制御部２１は、ラベル画像が合成された印刷用画像をプリンタ１に出力して（ステップＳ４４）、第３のＣＦＰ表示処理を終了する。
【００９５】
図１２に、ラベル画像Ｌ１が印刷されたダイレクトメールＤＭ１を示す。
ダイレクトメールＤＭ１には、旅行の情報が含まれる印刷用画像とともに、ラベル画像Ｌ１が印刷される。最終成果物はダイレクトメールＤＭ１自体であるため、ラベル画像Ｌ１にはダイレクトメールＤＭ１の印刷時に排出された温室効果ガス量（例えば、第４の温室効果ガス量）が表示される。
【００９６】
図１３に、ラベル画像Ｌ２が印刷された包装紙Ｗ１を示す。
包装紙Ｗ１には、商品についての情報が含まれる印刷用画像とともに、ラベル画像Ｌ２が印刷される。最終成果物は包装紙Ｗ１及び包装紙Ｗ１によって包装される商品であるため、ラベル画像Ｌ２には包装紙Ｗ１の印刷時に排出された温室効果ガス量及び商品の生産時等に排出された温室効果ガス量を合算した量（例えば、第６の温室効果ガス量）が表示される。
【００９７】
以上のように、第２の実施形態によれば、印刷時又は印刷時以外に排出された温室効果ガス量をラベル画像により印刷媒体に印刷することができ、ＣＦＰの実現を十分に図ることができる。
【符号の説明】
【００９８】
１００    画像形成システム
１        プリンタ
２        画像処理装置
３        排出ガス量ＤＢ
４        印刷指示端末
２１      制御部
２１１    ジョブ入力部
２１２    印刷設定情報入力部
２１３    画像生成部
２１４    使用消耗材量算出部
２１５    使用電力量算出部
２１６    排出ガス量算出部
２１７    画像合成部
２１８    画像出力部
２１９    Ｉ／Ｆ部
２２０    操作部
２２１    表示部
２ａ      画像処理装置
２１ａ    制御部
２１１ａ  台紙入力部
２１２ａ  台紙画像表示部
２１３ａ  台紙画像合成位置入力部
２１４ａ  ラベル画像生成部
【図１】
2011227719.tif 000003
【図２】
2011227719.tif 000004
【図３】
2011227719.tif 000005
【図４】
2011227719.tif 000006
【図５】
2011227719.tif 000007
【図６】
2011227719.tif 000008
【図７】
2011227719.tif 000009
【図８】
2011227719.tif 000010
【図９】
2011227719.tif 000011
【図１０】
2011227719.tif 000012
【図１１】
2011227719.tif 000013
【図１２】
2011227719.tif 000014
【図１３】
2011227719.tif 000015